(57)【要約】      （修正有）【課題】グリップパターン及び運動パターンを多様化し、運動用具本体の姿勢の変化を実感しやすく、手の操作感覚を喚起する形態を有し、更に、女性や年配者の感性に馴染みやすく、一般家庭の室内での使用、収納に適した形態を有する、運動用具を提供する。【解決手段】頭部３と胴体部１と腕部２ａ，２ｂとから構成される、もしくは、頭部と胴体部と腕部と脚部４ａ，４ｂとから構成される運動用具。前記頭部の形態が、輪状、円形状、球状、のうちのいずれかであり、かつ前記胴体部の形態が、直線状である運動用具。前記頭部の形態が円弧状であり、かつ前記胴体部の形態が、Ｕの字状、もしくは、上向きコの字状である運動用具。全体が、断面円形状、断面楕円状、断面多角形状のうちのいずれかの断面形状を有する棒状体によって形成されている、もしくは、全体が、板状体に形成されている運動用具。【選択図】図１
2011062491.tif 000002
【特許請求の範囲】
【請求項１】
頭部と、胴体部と、腕部と、から構成される、もしくは、頭部と、胴体部と、腕部と、脚部と、から構成される運動用具を提供する。
【請求項２】
前記頭部の形態が、輪状、円形状、球状、のうちのいずれかであり、かつ前記胴体部の形態が、直線状である、請求項１記載の運動用具を提供する。
【請求項３】
前記頭部の形態が円弧状であり、かつ前記胴体部の形態が、Ｕの字状、もしくは、上向きコの字状である、請求項１記載の運動用具を提供する。
【請求項４】
全体が、断面円形状、断面楕円状、断面多角形状のうちのいずれかの断面形状を有する棒状体によって形成されている、もしくは、全体が、板状体に形成されている、請求項１から３記載の運動用具を提供する。
【請求項５】
全体が、板状体に形成されていて、同形、同サイズの本体同志を、複数、正面対向状で、合体、及び取り外し可能な運動用具であり、本体の任意の場所に、合体用の凹部、もしくは、貫通アナ部を設けた、もしくは、本体の任意の場所に、前記合体用の凹部、もしくは、貫通アナ部の形態、及び配置場所に対応する合体用の凸部を設けた、請求項１記載の運動用具を提供する。
【発明の詳細な説明】
【技術分野】
【０００１】  本発明は、運動用具に関するものである。
【背景技術】
【０００２】  従来より、棒状の道具を使った、体操系の運動がある。
使用用具としては、単純棒状体以外に、実開Ｈ０４−６１５６６号開示の補助用具などの考案がある。
また、一方、筋肉トレーニング用の運動用具として、バーベルなど、水平状のバー（棒状体）の両端にウエイト部（重量部）を設けたウエイト式運動用具がある。
具体例としては、特開２０００−０９３５４９号の図５、特開Ｈ０７−２９９１６０号の図１と図２に例示されているものが代表的な形態である。
その他、グリップパターンを多様化したものとして、特表２００７−５２３７１４号、実公Ｈ０６−５８１４号などがある。
【先行技術文献】
【特許文献】
【０００３】
【特許文献１】  実開Ｈ０４−６１５６６号
【特許文献２】  特開２０００−０９３５４９号
【特許文献３】  特開Ｈ０７−２９９１６０号
【特許文献４】  特表２００７−５２３７１４号
【特許文献５】  実公Ｈ０６−５８１４号
【特許文献６】  実開Ｈ０５−０１５９７１号
【特許文献７】  特開Ｈ０９−２０６４０４号
【発明の開示】
【発明が解決しようする課題】
【０００４】  棒状の道具を使った体操系の運動は、女性や年配者でも手軽に、安全に実践できる運動である。
【０００５】  一方、ウエイト式運動用具は、筋肉を集中的、効率的に鍛えることができる。
【０００６】  しかし、これらの運動、及び運動用具に関しては、次の課題がある。
【０００７】  課題点▲１▼
どちらの場合も、用具の支持部が単一の棒状体であるので、支持パターン、グリップパターンが限られる。
用具本体を、両手で支持する際の、グリップの形、及び両手間の間隔幅は、手、肘、肩、それぞれの関節の稼働域を制限し、運動動作全体に影響を与える。
よって、運動パターンを多様化するためには、支持パターン、グリップパターンは、多様であることが望ましい。
【０００８】  従来の、棒状体を使った運動、及びウエイト式運動の場合、グリップパターンが限られるため、実開Ｈ０４−６１５６６号の第２図、実開Ｈ０５−０１５９７１号の図１１〜図１６、特開Ｈ０９−２０６４０４号の図１と図４に例示されているように、運動のパターンも限られる。
【０００９】  特表２００７−５２３７１４号、実公Ｈ０６−５８１４号など、グリップパターンを多様化したウエイト式運動用具も提案されているが、水平状の支持バー（棒状体）の両端側にウエイト部を配置し、ウエイト式運動用具本体を、水平横寝状にて使用するという前提は変わらないので、運動パターンは類似し、変化に乏しい。
【００１０】  課題点▲２▼
形態が単純対称状で、運動時における、用具本体の向き、姿勢の変化に乏しいため、手の操作感覚が喚起されにくく、運動に対し単調さを感じやすい。
【００１１】  課題点▲３▼
ウエイト式運動具の多くは金属製で、機械部品的な印象を与えるため、女性や年配者にとって、感性的に馴染みにくい面がある。
一般家庭の室内での使用、収納にも適していない。
【００１２】  そこで、上記課題を踏まえ、▲１▼グリップパターン（支持パターン）、及び運動パターンを多様化し、▲２▼運動用具本体の姿勢の変化を実感しやすく、手の操作感覚を喚起する形態を有し、▲３▼更に、女性や年配者の感性に馴染みやすく、一般家庭の室内での使用、収納に適した形態を有する、運動用具を提供する。
【課題を解決するための手段】
【００１３】  本発明は、上記目的を達成するために、請求項１記載の発明は、
頭部と、胴体部と、腕部と、から構成される、もしくは、頭部と、胴体部と、腕部と、脚部と、から構成される運動用具を提供する。
【００１４】  本発明の請求項２記載の発明は、
前記頭部の形態が、輪状、円形状、球状、のうちのいずれかであり、かつ前記胴体部の形態が、直線状である、請求項１記載の運動用具を提供する。
【００１５】  本発明の請求項３記載の発明は、
前記頭部の形態が円弧状であり、かつ前記胴体部の形態が、Ｕの字状、もしくは、上向きコの字状である、請求項１記載の運動用具を提供する。
【００１６】  本発明の請求項４記載の発明は、
全体が、断面円形状、断面楕円状、断面多角形状のうちのいずれかの断面形状を有する棒状体によって形成されている、もしくは、全体が、板状体に形成されている、請求項１から３記載の運動用具を提供する。
【００１７】  本発明の請求項５記載の発明は、
全体が、板状体に形成されていて、同形、同サイズの本体同志を、複数、正面対向状で、合体、及び取り外し可能な運動用具であり、本体の任意の場所に、合体用の凹部、もしくは、貫通アナ部を設けた、もしくは、本体の任意の場所に、前記合体用の凹部、もしくは、貫通アナ部の形態、及び配置場所に対応する合体用の凸部を設けた、請求項１記載の運動用具を提供する。
【発明の効果】
【００１８】  本発明は、上記のように構成したことにより、次の効果をもたらす。
【００１９】  １．本発明を、体操用具として使用した場合、ストレッチ棒や、他の棒状体操用具に比べ、多様なグリップパターンが可能で、運動パターンを多様化できる。
【００２０】  ウエイト式運動用具として使用することもでき、体操用具として使用する場合と同様に、グリップパターン、運動パターンを多様化できる。
【００２１】  ２．形態構成を人形型としたことにより、本体を、様々な姿勢で支持、使用できるので、ストレッチ棒や従来バーベルとは異なる運動が可能になる。
【００２２】  特に、従来のウエイト式運動用具が、本体を、水平横寝状で、拳上することを前提としているのに対して、本発明の場合、人形型本体を、立ち姿勢、垂直姿勢で拳上することができる。
重量が、肩幅内に収まり、中心軸（背骨）付近に集中するため、安定的に、各種拳上運動が行える。
【００２３】  ３．運動時における、人形型本体の姿勢の変化、変位（立ち姿勢、横寝姿勢、垂直姿勢、水平姿勢、上部と下部の反転、前部と後部の反転）が、人間の動き、姿勢の変化を想起させ、運動の単調さを解消する。
【００２４】  ４．形態構成を親しみやすい人形型にしたことにより、機械部品的な従来バーベルに比べ、心理的に扱いやすく、女性や年配者が、安心感をもって運動できる。
室内使用、及び室内収納にも適した形態である。
【図面の簡単な説明】
【図１】第一の実施例の正面図である。
【図２】第一の実施例の側面図、平面図、底面図である。
【図３】グリップパターンの多様性に関する参考説明図である。
【図４】運動時における、本体の支持姿勢のパターンに関する参考説明図である。
【図５】本発明と従来バーベルとの比較参考図である。
【図６】本発明を使用した運動パターンに関する参考説明図１である。
【図７】本発明を使用した運動パターンに関する参考説明図２である。
【図８】本発明を使用した運動パターンに関する参考説明図３である。
【図９】本発明を使用した運動パターンに関する参考説明図４である。
【図１０】本発明を使用した運動パターンに関する参考説明図５である。
【図１１】本発明を使用した運動パターンに関する参考説明図６である。
【図１２】本発明を使用した運動パターンに関する参考説明図７である。
【図１３】本発明を使用した運動パターンに関する参考説明図８である。
【図１４】本発明、第二の実施例の正面図、側面図、平面図、底面図である。
【図１５】本発明、第三の実施例の正面図、側面図、平面図、底面図である。
【図１６】本発明、第四の実施例の正面図、側面図、平面図、底面図である。
【図１７】本発明、第五の実施例の正面図、側面図、平面図、底面図である。
【図１８】本発明、第六の実施例の正面図、側面図、平面図、底面図である。
【図１９】運動時の、本体の支持姿勢のバリエーションに関する参考説明図である。
【図２０】本発明を使用した運動パターンに関する参考説明図９である。
【図２１】本発明を使用した運動パターンに関する参考説明図１０である。
【図２２】本発明を使用した運動パターンに関する参考説明図１１である。
【図２３】本発明を使用した運動パターンに関する参考説明図１２である。
【図２４】本発明を使用した運動パターンに関する参考説明図１３である。
【図２５】本発明を使用した運動パターンに関する参考説明図１４である。
【図２６】本発明を使用した運動パターンに関する参考説明図１５である。
【図２７】本発明、第七の実施例の正面図、側面図、平面図、底面図である。
【図２８】本発明、第八の実施例の正面図、側面図、平面図、底面図である。
【図２９】本発明、第九の実施例の正面図、側面図、平面図、底面図である。
【図３０】本発明、第十の実施例の正面図、側面図、平面図、底面図である。
【図３１】本発明の、重量付加実施パターンに関する参考説明図１である。
【図３２】本発明の、重量付加実施パターンに関する参考説明図２である。
【図３３】本発明の、重量付加実施パターンに関する参考説明図３である。
【図３４】本発明の頭部に耳部を形成する場合の参考例図である。
【図３５】本発明の腕部を形成する場合の参考例図である。
【発明を実施するための形態】
【００２５】  以下、本発明の実施の形態を、図１〜図３５に基づいて説明する。
図１は、第一実施例の正面図を表している。
図２は、第一実施例の側面図、平面図、底面図を表している。
【００２６】  図１において第一実施例の基本構成を説明する。
【００２７】  直線状、かつ棒状体の胴体部１の左右の側面上部に、先端半球状の腕部２ａと２ｂを、それぞれ設け、また、前記胴体部１の上端部に、円輪状の頭部３を設けてある。
更に、前記胴体部１の左右の側面下部に、先端に土台部ｂを有する、脚部４ａと４ｂを、それぞれ設け、全体を一体成型状に形成してある。
かつ、全体を構成する各構成部（土台部を除く）の断面を同一形状（円形）としてある。
【００２８】  全体を、比重の小さいプラスティク材、もしくは木材により、一体成型すれば、体操用具として使用できる。
また、比重の大きい金属材により成型するなど、適宜重量負荷を加えれば、ウエイト式運動用具として使用できる。
【００２９】  図３に示すように、直線状の胴体部に対し、それぞれの角度を有する腕部、足部、及び、曲線部を有する頭部各々を、支持部、グリップ部として使用できる。
よって、両手運動時における左右の手の支持場所、支持位置の選択、及び片手運動時の支持場所、支持位置の選択により、様々な支持パターン、グリップパターンが可能になる。
【００３０】  また、図４に示すように、人形型本体の支持姿勢のバリエーションも多様である。
立ち姿勢、横寝姿勢、垂直姿勢、水平姿勢、上部と下部の反転、前部と後部の反転など、異なった支持姿勢を選択できる。
【００３１】  これら、多様なグリップパターン、支持パターンと、本体の支持姿勢のバリエーションを組み合わせることにより、様々な運動パターンが可能になる。
ウエイト式運動用具として使用する場合には、身体に対する重量負荷のかけ方を多様に調整、選択できる。
【００３２】  更に、形態構成を人形型にしたことにより、立ち姿勢、横寝姿勢など、人間の姿勢変化、変位を想起、連想させ、物体としての向き、姿勢の変化、変位を意識させる。
人間の体、姿勢をイメージすることにより、子供の人形遊びと同様に、人形型本体に対する手の操作感覚が喚起される。
単調になりがちな体操系運動、ウエイト式運動に対する運動意欲を刺激する。
【００３３】  また、頭部、胴体部、腕部、脚部からなり、形態構成が、人間の体の構成に類似するため、運動用具を、運動動作に同調させやすい。
【００３４】  特に、女性や年配者にとっては、バーベルなどのウエイト式運動用具は、機械部品的で、感性的に馴染みにくい面があるが、子供や動物形の、人形型ウエイト式運動用具の場合、子供やペットを抱き抱えたり、抱き上げる様な感覚で運動できるので、感性的に馴染みやすい。
【００３５】  また、オブジェ風の形態であるので、室内使用、室内収納にも適している。
【００３６】  次に、第一実施例を使った運動パターンについて、具体的に説明する。
【００３７】  図５は、本発明第一実施例と従来のバーベルとの比較図である。
従来バーベルの、ウエイト部の配置パターンが、本体を、水平横寝状に使用することを前提にしているのに対し、本発明第一実施例の場合、本体を、水平横寝状、垂直立ち姿勢、両方の姿勢での使用に適している。
【００３８】  垂直立ち姿勢での使用パターンによれば、本体重量が、人間と同じ垂直方向に分布するかたちになり、肩幅内に収まり、中心軸（背骨）付近に集中するので安定的に運動できる。
【００３９】  また、形態構成、及び重量配置が、人間の体に類似するので感性的に扱いやすい。
【００４０】  よって、体操用具としての使用は勿論のこと、ウエイト式運動用具として使用する場合においても、従来のバーベルに比べ、自由度の高い運動が可能になる。
【００４１】  図６から図１３は、第一実施例の人形型本体を使用しての運動パターンの例を示している。
【００４２】  図６は、本体腕部を、両手で下から支持し、垂直状に拳上する運動である。
図７は、本体腕部を、両手で支持してのスクワット運動である。
図８は、本体腕部を、両手で支持し、前方に押し出し、かつ上方に拳上する運動である。
図９は、本体頭部を片手で支持し、腕の横開閉動作で、引き上げる運動である。
図１０は、本体頭部を片手で支持し、振り子状に動かす運動である。
図１１は、本体頭部を片手て支持し、拳上する運動である。
図１２は、本体頭部を、片手でグリップし、手首、上腕を鍛える運動である。
図１３は、本体頭部と股間部を両手で支持し、本体を上下反転させるハンドル運動である。
【００４３】  このように、従来のストレッチ棒やバーベルでは実践できない、本体立ち姿勢での、様々な運動が可能となる。
【００４４】  図１４と図１５は、本発明の、第二実施例と第三実施例である。
どちらも、全体を薄板状にしたものである。
ウエイト式運動用具として実施する場合の重量感、圧迫感を軽減し、室内使用に適した形態にしてある。
【００４５】  図１６、図１７は、本発明の、第四実施例と第五実施例である。
本実施例のものは、二体のウエイト式運動用具を、合体、及び、取り外し可能にし、重量調整、片手運動、両手運動と、運動のパターンを選択できる。
一方のウエイト式運動用具の任意の場所に、合体、取り外し用の凹部、もしくは貫通アナ部を設け、他方のウエイト式運動用具に、合体、取り外し用の、前記凹部、もしくは前記貫通アナ部の形態、配置場所に対応する凸部を設けてある。
両ウエイト式運動用具を、正面対向状に合体させ、片手で使用する、或いは、取りり外して、両手で使用することができる。
また、重量を調整、選択できる。
【００４６】  図１８は、本発明の第六実施例である。
【００４７】  断面円形状の棒状体で、Ｕの字状に形成した胴体部１の、左右の側面上部に、先端半球状の腕部２ａ、腕部２ｂを、それぞれ設け、前記胴体部１の左右の両上端にまたがるように、円弧状の頭部３を設け、更に、前記胴体部１の左右の側面下部に、先端半球状の脚部４ａ、脚部４ｂを、それぞれ設け、一体成型状に形成してある。
【００４８】  本実施例によれば、胴体部に対し、二本の直線状の支持バーを配置することにより、「両手、縦グリップ」による、本体支持が可能になる。
図１９に示す、様々な、本体の支持姿勢と組み合わせれば、新規な運動パターンが展開できる。
【００４９】  図２０は、本体立ち姿勢、かつ垂直姿勢での、バーベルスクワット運動である。
図２１は、中腰状態での、立ち姿勢の本体に対する拳上運動である。
図２２は、本体胴体部を両手で、背面側で、逆さま状態で支持し、頭越しに、正面側に振り出す運動である。
図２３は、本体を使った腹筋運動である。
図２４は、本体を使ったストレッチ運動である。
図２５は、本体を使った、捻転運動である。
図２６は、本体を、左向き横寝姿勢から右向き横寝姿勢へ、姿勢を変えるハンドル運動である。
【００５０】  図２７は、本発明の第七実施例である。
【００５１】  断面円形状の棒状体で、上向きコの字状に形成した胴体部１の、左右の側面上部に、先端半球状の腕部２ａ、腕部２ｂを、それぞれ設け、前記胴体部１の左右の両上端にまたがるように、円弧状の頭部３を設け、更に、前記胴体部１の左右の側面下部に、土台部ｂを有する脚部４ａ、脚部４ｂを、それぞれ設け、一体成型してある。
【００５２】  図２８、図２９は、それぞれ、第八実施例、第九実施例である。
第六、第七実施例の構成より脚部を省いたパターンである。
縦幅を抑え、収納性を優先した実施例である。
【００５３】  図３０は、第十の実施例である。
頭部の形態を球体にし、人形型としての意匠性を強調したものである。
キャラクター展開に適している。
【００５４】  次に、本発明を、ウエイト式運動用具として実施する場合、及び、体操用具とウエイト式運動用具を兼用する、兼用用具として実施する場合、それぞれのウエイト付加の方法について説明する。
【００５５】  ウエイト式運動用具として実施する場合、重量負荷が求められるため、比重の大ききい鉄、鉛、ステンレスなどの金属材により一体成型する。
【００５６】  意匠性に配慮する場合は、人形型本体の外側を、適宜厚さ分、プラスティック材によりカバーする、もしくは、樹脂コーティングを施す。
【００５７】  或いは、図３１例示のように、全体を、プラスティク材により中空円筒状に形成し、左右の腕部、もしくは脚部、いずれかの先端に、螺子溝を有する開口封入口を設け、そこから砂鉄などの粒状のウエイト体を封入し、前記粒状ウエイト体を、前記螺子溝に対応する蓋型螺子着手段により螺子着封止する。
【００５８】  体操用具とウエイト式運動用具を兼用する用具として実施する場合。
【００５９】  体操用具は、筋力の弱い女性、年配者、子供などが安全に使用できるように、重量負荷が軽度で、また、意匠性に配慮した実施パターンが望ましい。
よって、兼用パターンに関しても、体操用具としての実施パターンを基本にするのが望ましい。
【００６０】  ▲１▼比重の小さいプラスティク材により一体成型された本体と、前記本体に対し、着脱自在なリストバンド型ウエイト体、から構成される実施パターン。
【００６１】  図３２例示のように、本形態構成によれば、本体胴体部にリストバンド型ウエイト体を巻き付けて、ウエイト式運動用具として使用することができる。
よって、体操用具としての使用と、ウエイト式運動用具としての使用を、リストバンド型ウエイト体の装着、及び取り外しにより、任意に選択できる。
また、リストバンド型ウエイト体の重量を、個別的に選択すれば、個人の体力に相応するウエイト式運動ができる。
【００６２】  ▲２▼全体を、プラスティク材により中空円筒状に形成された本体の腕部、脚部、胴体部各々に、金属製円柱体（重量部）を封入するパターン。
【００６３】  これは、図３３例示のように、前記本体の、先端開口状、かつ螺子着封止手段を有する、前記腕部、前記脚部、及び、上部と下部が着脱自在に螺子着され、各々の螺子着部先端が開口状で、螺子着封止手段を有する、上下分離型の胴体部、それぞれに対し、金属製円柱状のウエイト体を封入、封止し、重量負荷をかけるパターンである。
蓋型の螺子着封止手段を着脱し、ウエイト体を封入、及び取り外しすることにより、体操用具としての使用と、ウエイト式運動用具としての使用を任意に選択できる。
【００６４】  なお、その他、視覚効果に係わる、腕、脚の先端部の形態は、半球状、球状、土台形のものに限らず、人や動物の手の形、足の形を模倣したものでも構わない。
【００６５】  また、頭部に耳部を設けること（図３４参照）、腕部の向きの変更（図３５参照）、などに関しても、任意の選択事項とする。
【符号の説明】  １    胴体部
２ａ  左腕部
２ｂ  右腕部
３    頭部
４ａ  左脚部
４ｂ  右脚部
ｂ    土台部
【図１】
2011062491.tif 000003
【図２】
2011062491.tif 000004
【図３】
2011062491.tif 000005
【図４】
2011062491.tif 000006
【図５】
2011062491.tif 000007
【図６】
2011062491.tif 000008
【図７】
2011062491.tif 000009
【図８】
2011062491.tif 000010
【図９】
2011062491.tif 000011
【図１０】
2011062491.tif 000012
【図１１】
2011062491.tif 000013
【図１２】
2011062491.tif 000014
【図１３】
2011062491.tif 000015
【図１４】
2011062491.tif 000016
【図１５】
2011062491.tif 000017
【図１６】
2011062491.tif 000018
【図１７】
2011062491.tif 000019
【図１８】
2011062491.tif 000020
【図１９】
2011062491.tif 000021
【図２０】
2011062491.tif 000022
【図２１】
2011062491.tif 000023
【図２２】
2011062491.tif 000024
【図２３】
2011062491.tif 000025
【図２４】
2011062491.tif 000026
【図２５】
2011062491.tif 000027
【図２６】
2011062491.tif 000028
【図２７】
2011062491.tif 000029
【図２８】
2011062491.tif 000030
【図２９】
2011062491.tif 000031
【図３０】
2011062491.tif 000032
【図３１】
2011062491.tif 000033
【図３２】
2011062491.tif 000034
【図３３】
2011062491.tif 000035
【図３４】
2011062491.tif 000036
【図３５】
2011062491.tif 000037